(57)【要約】【課題】  手ぶれ警告を適切に発することのできる撮影装置及び手ぶれ警告方法を得る。【解決手段】  被写体の明るさに応じてシャッタ速度を決定すると共に、当該シャッタ速度が予め設定された所定速度以下である場合に手ぶれの発生を警告するにあたり、ＣＰＵ４０により、グリップセンサ６０によってデジタルカメラ１０に対する撮影者による保持状態を検出し、当該保持状態が良好であるほど遅くなるように前記所定速度を設定する。【選択図】        図２
2006243167.tif 000002
【特許請求の範囲】
【請求項１】
被写体を撮影する撮影装置であって、
前記撮影装置に対する保持状態を検出する検出手段と、
前記被写体の明るさに応じてシャッタ速度を決定する決定手段と、
前記シャッタ速度が予め設定された所定速度以下である場合に手ぶれの発生を警告する警告手段と、
前記検出手段によって検出された保持状態が良好であるほど遅くなるように前記所定速度を設定する設定手段と、
を備えた撮影装置。
【請求項２】
前記設定手段は、前記所定速度を段階的に設定する
請求項１記載の撮影装置。
【請求項３】
被写体の明るさに応じてシャッタ速度を決定すると共に、当該シャッタ速度が予め設定された所定速度以下である場合に手ぶれの発生を警告する撮影装置の手ぶれ警告方法であって、
前記撮影装置に対する保持状態を検出し、当該保持状態が良好であるほど遅くなるように前記所定速度を設定する、
手ぶれ警告方法。
【発明の詳細な説明】
【技術分野】
【０００１】
本発明は、撮影装置及び手ぶれ警告方法に係り、特に、被写体の明るさに応じてシャッタ速度を決定すると共に、当該シャッタ速度が予め設定された所定速度以下である場合に手ぶれの発生を警告する撮影装置及び当該撮影装置の手ぶれ警告方法に関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、デジタルカメラ、携帯電話機、ＰＤＡ（Personal Digital Assistant，携帯情報端末）等の撮影機能を有する情報機器（以下、「撮影装置」ともいう。）の需要が急増しており、この種の撮影装置には、シャッタ速度が著しく遅い場合等、撮影時において手ぶれが生じる可能性が高い場合に警告を発する手ぶれ警告機能が搭載されているものもある。
【０００３】
ところで、手ぶれは、撮影者が撮影装置を不安定な状態で保持した場合に生じる可能性が高いとされている。特に、初心者等は撮影装置の持ち方も知らない場合が多く、この場合には手ぶれの影響が生じやすい。
【０００４】
この問題に対して、従来は、撮影装置の右手保持部分にグリップ部等を設ける等して保持領域を明確化する工夫がなされている。従って、撮影者は、右手については比較的正しい持ち方をしている。しかしながら、この技術では、右手についてはグリップ部によって安定した保持状態を確保することができるものの、左手側については安定した保持状態を確保することができず、手ぶれが発生しやすい状態で写真撮影が行われることが依然多かった。
【０００５】
そこで、この問題を解決するために、特許文献１には、レンズ鏡筒に保持状態を判別する保持状態判別手段を設けると共に、当該保持状態判別手段の出力に応じて警告を発したり、撮影装置の作動を禁止する技術（以下、「第１従来技術」という。）が開示されている。
【０００６】
また、特許文献１には、シャッタ速度が焦点距離の逆数より遅いか否かを判断することによって手ぶれを発生する可能性が高いか否かを判断し、手ぶれを発生する可能性が高く、かつ撮影装置に対する保持状態が正しくない場合に警告を発する技術（以下、「第２従来技術」という。）も開示されている。
【特許文献１】特開２０００−３３８５８８公報
【発明の開示】
【発明が解決しようとする課題】
【０００７】
しかしながら、上記第１従来技術では、レンズ鏡筒に対する保持状態が正しくない場合には必ず警告が発せられるので、撮影者に対してレンズ鏡筒に対する一定の保持状態を強制することになり、撮影者に煩わしさや不快感を与えてしまう場合がある、という問題点があった。
【０００８】
また、上記第２従来技術では、シャッタ速度が焦点距離の逆数より速く、手ぶれを発生する可能性が低いと判断された場合には、撮影者による撮影装置の保持状態にかかわらず警告が発せられないので、当該保持状態が正しくない場合には手ぶれが生じてしまう場合がある、という問題点があった。
【０００９】
本発明は上記問題点を解決するためになされたものであり、手ぶれ警告を適切に発することのできる撮影装置及び手ぶれ警告方法を提供することを目的とする。
【課題を解決するための手段】
【００１０】
上記目的を達成するために、請求項１記載の撮影装置は、被写体を撮影する撮影装置であって、前記撮影装置に対する保持状態を検出する検出手段と、前記被写体の明るさに応じてシャッタ速度を決定する決定手段と、前記シャッタ速度が予め設定された所定速度以下である場合に手ぶれの発生を警告する警告手段と、前記検出手段によって検出された保持状態が良好であるほど遅くなるように前記所定速度を設定する設定手段と、を備えている。
【００１１】
請求項１に記載の撮影装置では、決定手段により、被写体の明るさに応じてシャッタ速度が決定され、警告手段により、前記シャッタ速度が予め設定された所定速度以下である場合に手ぶれの発生が警告される。なお、上記警告手段による警告には、ディスプレイ装置等による表示による警告、ランプの点灯や点滅等による警告、スピーカを介した音声やブザーの鳴動等による警告が含まれる。
【００１２】
ここで、本発明では、設定手段により、撮影装置に対する保持状態を検出する検出手段によって検出された前記保持状態が良好であるほど遅くなるように前記所定速度が設定される。
【００１３】
このように、請求項１に記載の撮影装置によれば、被写体の明るさに応じてシャッタ速度を決定すると共に、当該シャッタ速度が予め設定された所定速度以下である場合に手ぶれの発生を警告するにあたり、前記撮影装置に対する保持状態を検出し、当該保持状態が良好であるほど遅くなるように前記所定速度を設定しているので、シャッタ速度及び撮影装置に対する保持状態の何れか一方のみが手ぶれを発生する可能性が高い状態である場合であっても手ぶれ警告を発することができ、手ぶれ警告を適切に発することができる。
【００１４】
なお、本発明の前記設定手段は、請求項２に記載の発明のように、前記所定速度を段階的に設定するものとしてもよい。これによって、前記所定速度を連続的に設定する場合に比較して、簡易に前記所定速度を設定することができる。
【００１５】
一方、上記目的を達成するために、請求項３記載の手ぶれ警告方法は、被写体の明るさに応じてシャッタ速度を決定すると共に、当該シャッタ速度が予め設定された所定速度以下である場合に手ぶれの発生を警告する撮影装置の手ぶれ警告方法であって、前記撮影装置に対する保持状態を検出し、当該保持状態が良好であるほど遅くなるように前記所定速度を設定するものである。
【００１６】
従って、請求項３に記載の手ぶれ警告方法によれば、請求項１に記載の発明と同様に作用するので、請求項１記載の発明と同様に、手ぶれ警告を適切に発することができる。
【発明の効果】
【００１７】
本発明によれば、被写体の明るさに応じてシャッタ速度を決定すると共に、当該シャッタ速度が予め設定された所定速度以下である場合に手ぶれの発生を警告するにあたり、前記撮影装置に対する保持状態を検出し、当該保持状態が良好であるほど遅くなるように前記所定速度を設定しているので、シャッタ速度及び撮影装置に対する保持状態の何れか一方のみが手ぶれを発生する可能性が高い状態である場合であっても手ぶれ警告を発することができ、手ぶれ警告を適切に発することができる、という効果が得られる。
【発明を実施するための最良の形態】
【００１８】
以下、図面を参照して、本発明の実施の形態について詳細に説明する。なお、ここでは、本発明をデジタル電子スチルカメラ（以下、「デジタルカメラ」という。）に適用した場合について説明する。
【００１９】
まず、図１を参照して、本実施の形態に係るデジタルカメラ１０の外観上の構成を説明する。
【００２０】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２１】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２２】
そして、デジタルカメラ１０では、レリーズスイッチ５６Ａを半押し状態にすることによりＡＥ（Automatic Exposure、自動露出）機能が働いて露出状態（シャッター速度、絞りの状態）が決定されて設定された後、ＡＦ（Auto Focus、自動合焦）機能が働いて合焦制御され、その後、引き続き全押し状態にすると露光（撮影）が行われる。
【００２３】
また、モード切替スイッチ５６Ｃは、撮影を行うモードである撮影モード及び被写体像を後述するＬＣＤ３８に再生するモードである再生モードの何れかのモードに設定する際に回転操作される。
【００２４】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００２５】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００２６】
ここで、本実施の形態に係るデジタルカメラ１０には、各々配置位置に対する撮影者による保持状態を検出する複数のグリップセンサ６０（本実施の形態では、４つのグリップセンサ６０Ａ、６０Ｂ、６０Ｃ、６０Ｄ）が設けられている。
【００２７】
上記グリップセンサは、撮影者がデジタルカメラ１０を適切な持ち方で保持した場合に指がかかる位置（撮影者により保持されることによって手ぶれの発生を防ぐことができる位置）に各々配置されるものであり、図１に示されるように、本実施の形態に係るデジタルカメラ１０では、正面の左右両端部近傍にグリップセンサ６０Ａ及びグリップセンサ６０Ｂが、上面のレリーズスイッチ５６Ａの配設側とは反対側の端部近傍にグリップセンサ６０Ｃが、背面のグリップセンサ６０Ｃの下部近傍にグリップセンサ６０Ｄが、各々配置されている。
【００２８】
なお、本実施の形態では、上記グリップセンサとして感圧センサを適用しているが、これに限定されず、ボタンゴムや、上記特許文献１に開示されているフォトリフレクタを用いたセンサ、導電体を用いたセンサ等、撮影者が保持していることを検出することができるセンサであれば如何なるものも適用することができる。
【００２９】
次に、図２を参照して、本実施の形態に係るデジタルカメラ１０の電気系の要部構成を説明する。
【００３０】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３１】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３２】
なお、デジタル信号処理部３０は、所定容量のラインバッファを内蔵し、入力されたデジタルデータを後述するメモリ４８の所定領域に直接記憶させる制御も行う。
【００３３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３４】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３５】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３６】
なお、本実施の形態のデジタルカメラ１０では、メモリ４８としてフラッシュ・メモリ（Flash Memory）が用いられ、メモリカード５２としてスマートメディア（Smart Media（登録商標））が用いられている。
【００３７】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４１】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４２】
また、前述のグリップセンサ６０Ａ〜６０Ｄ（同図では、「グリップセンサ６０」と総称。）もＣＰＵ４０に接続されており、ＣＰＵ４０は、これらのグリップセンサ６０に対する撮影者による保持状態の検出結果を常時把握できる。
【００４３】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４４】
次に、本実施の形態に係るデジタルカメラ１０の撮影時における全体的な動作について簡単に説明する。
【００４５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４７】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００４８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４９】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５０】
ここで、レリーズスイッチ５６Ａがユーザによって半押し状態とされたタイミングで前述のようにＡＥ機能が働いて露出状態を設定し、ＡＦ機能が働いて合焦制御した後に後述する手ぶれ警告処理を実行し、その後、レリーズスイッチ５６Ａが半押し状態から引き続き全押し状態に移行されたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００５１】
次に、図３を参照して、手ぶれ警告処理の実行時におけるデジタルカメラ１０の作用を説明する。なお、図３は、このときデジタルカメラ１０のＣＰＵ４０によって実行される手ぶれ警告処理プログラムの処理の流れを示すフローチャートであり、当該プログラムはメモリ４８の所定領域に予め記憶されている。
【００５２】
同図のステップ１００では、グリップセンサ６０Ａ〜６０Ｄに対する撮影者による保持状態の検出結果に基づいて、撮影者によるデジタルカメラ１０の保持状態が良好であるか否かを判定し、肯定判定となった場合はステップ１０２に移行する。なお、本実施の形態に係る手ぶれ警告処理プログラムでは、撮影者がグリップセンサ６０Ａを保持すると共に、グリップセンサ６０Ｂ〜６０Ｄの少なくとも１つを保持している場合に保持状態が良好であるものと判定しているが、これに限らず、例えば、グリップセンサ６０Ａ〜６０Ｄの半数以上を保持している場合に保持状態が良好であるものと判定する形態や、グリップセンサ６０Ａ〜６０Ｄの全てを保持している場合に保持状態が良好であるものと判定する形態等とすることもできる。
【００５３】
ステップ１０２では、後述するステップ１０６において適用されるシャッタ速度に対する閾値として予め定められた低い値（本実施の形態では、１／１５秒（１５分の１秒））を設定し、その後にステップ１０６に移行する。一方、上記ステップ１００において否定判定となった場合にはステップ１０４に移行し、上記閾値として予め定められた高い値（少なくとも上記低い値より大きな値であり、本実施の形態では、１／３０秒（３０分の１秒））を設定し、その後にステップ１０６に移行する。
【００５４】
ステップ１０６では、本手ぶれ警告処理プログラムを実行する直前に行われたＡＥ機能により決定されたシャッタ速度が上記ステップ１０２又はステップ１０４において設定された閾値以下となっているか否かを判定し、肯定判定となった場合はステップ１０８に移行して、予め定められた警告画面をＬＣＤ３８に表示するように制御した後、本手ぶれ警告処理プログラムを終了する。
【００５５】
図４には、上記ステップ１０８の処理によってＬＣＤ３８に表示される警告画面の表示状態の一例が示されている。同図に示すように、この警告画面では、手ぶれが発生する可能性があることを示すメッセージと、デジタルカメラ１０を正しく保持することを促すメッセージが表示される。同図に示されるような警告画面がＬＣＤ３８にて表示されることにより、撮影者はデジタルカメラ１０を正しく保持する可能性が高くなり、この結果として、手ぶれの発生を未然に回避できる可能性が高くなる。
【００５６】
一方、上記ステップ１０６において否定判定となった場合には、上記ステップ１０８の処理を実行することなく本手ぶれ警告処理プログラムを終了する。
【００５７】
以上詳細に説明したように、本実施の形態では、被写体の明るさに応じてシャッタ速度を決定すると共に、当該シャッタ速度が予め設定された所定速度（閾値）以下である場合に手ぶれの発生を警告するにあたり、撮影装置（デジタルカメラ１０）に対する保持状態を検出し、当該保持状態が良好であるほど遅くなるように前記所定速度を設定しているので、シャッタ速度及び撮影装置に対する保持状態の何れか一方のみが手ぶれを発生する可能性が高い状態である場合であっても手ぶれ警告を発することができ、手ぶれ警告を適切に発することができる。
【００５８】
また、本実施の形態では、前記所定速度を段階的（ここでは、所定低値及び所定高値の２段階）に設定しているので、前記所定速度を連続的に設定する場合に比較して、簡易に前記所定速度を設定することができる。
【００５９】
なお、本実施の形態では、図１に示されるように、グリップセンサをデジタルカメラ１０の正面、上面、及び背面に対して合計４個設けた場合について説明したが、本発明はこれに限定されるものではなく、例えば、これらから何れかを削除する形態や、これらに加えて底面にも設ける形態等とすることもできる。この場合、グリップセンサの数が増えるほど撮影者によるデジタルカメラ１０の保持状態を精度よく検出することができ、グリップセンサの数が減るほどデジタルカメラ１０を低コスト化することができる。
【００６０】
また、本実施の形態では、ＬＣＤ３８による表示によって手ぶれの警告を行う場合について説明したが、本発明はこれに限定されるものではなく、例えば、ファインダ２０がＥＶＦ（エレクトリック・ビュー・ファインダ）である場合の当該ファインダ２０による表示による警告、デジタルカメラ１０にスピーカが設けられている場合の当該スピーカによる音声による警告、デジタルカメラ１０にブザーが設けられている場合の当該ブザーの鳴動による警告、ファインダ２０の接眼部近傍にＬＥＤ（発光ダイオード）を設け、当該ＬＥＤの点灯、点滅等による警告等とする形態とすることもできる。この場合も、本実施の形態と同様の効果を奏することができる。
【００６１】
また、本実施の形態では、三脚撮影時については特に言及しなかったが、三脚撮影時には手ぶれ警告を禁止する形態とすることもできる。この場合、不要な手ぶれ警告を回避することができる。
【００６２】
また、本実施の形態では、手ぶれ警告を行うか否かを判定する際に用いるシャッタ速度の閾値を、保持状態が良好か否かに応じて２段階で設定する場合について説明したが、本発明はこれに限定されるものではなく、例えば、保持状態が良好であるほど小さくなるように無段階で連続的に閾値を設定する形態とすることもできる。この場合、本実施の形態に比較して、より高精度に手ぶれ警告の要否判定を行うことができる。
【００６３】
また、本実施の形態では、本発明の検出手段として、撮影者によって保持されているか否かを検出するグリップセンサを適用し、当該センサによる検出結果に応じて撮影者によるデジタルカメラ１０の保持状態が良好か否かを判定する場合について説明したが、本発明はこれに限定されるものではなく、例えば、本発明の検出手段として、撮影者による保持力（把持力）を検出することのできる感圧センサ等のセンサを適用し、当該センサによって検出された保持力の強さに応じて撮影者によるデジタルカメラ１０の保持状態が良好か否かを判定する形態とすることもできる。この場合、本実施の形態に比較して、より高精度に手ぶれ警告の要否判定を行うことができる。
【００６４】
その他、本実施の形態に係るデジタルカメラ１０の構成（図１，図２参照。）は一例であり、本発明の主旨を逸脱しない範囲内において適宜変更可能であることは言うまでもない。
【００６５】
また、本実施の形態において説明した手ぶれ警告処理プログラムの処理の流れ（図３参照。）も一例であり、本発明の主旨を逸脱しない範囲内において適宜変更可能であることは言うまでもない。
【００６６】
また、本実施の形態で示した警告画面の表示状態（図４参照。）も一例であり、本発明の主旨を逸脱しない範囲内において適宜変更可能であることは言うまでもない。
【００６７】
更に、本実施の形態では、本発明をデジタルカメラに適用した場合について説明したが、本発明は、ＰＤＡ、携帯電話機等、撮影機能を有する情報機器であれば如何なるものにでも適用できることは言うまでもない。
【図面の簡単な説明】
【００６８】
【図１】実施の形態に係るデジタルカメラの外観を示す外観図である。
【図２】実施の形態に係るデジタルカメラの電気系の要部構成を示すブロック図である。
【図３】実施の形態に係る手ぶれ警告処理プログラムの処理の流れを示すフローチャートである。
【図４】実施の形態に係る警告画面の表示状態例を示す概略図である。
【符号の説明】
【００６９】
１０    デジタルカメラ
４０    ＣＰＵ（決定手段、警告手段、設定手段）
６０Ａ〜６０Ｄ    グリップセンサ（検出手段）
【図１】
2006243167.tif 000003
【図２】
2006243167.tif 000004
【図３】
2006243167.tif 000005
【図４】
2006243167.tif 000006